【手続補正書】
【提出日】平成16年3月12日(2004.3.12)
【手続補正１】
【補正対象書類名】明細書
【補正対象項目名】全文
【補正方法】変更
【補正の内容】
【発明の名称】スピニングリールの釣り糸案内機構
【特許請求の範囲】
【請求項１】第１及び第２ロータアームの先端に糸案内姿勢と糸開放姿勢とに揺動自在に装着され、釣り糸をスプールに案内するスピニングリールの釣り糸案内機構であって、
前記第１及び第２ロータアームの先端にそれぞれ揺動自在に装着された第１及び第２ベール支持部材と、
前記第１ベール支持部材に一端が固定された固定軸と、
前記固定軸の他端に前記第１ベール支持部材と間隔を隔てて設けられ、少なくとも先端部が円筒状に形成され先端面が開口する孔部を有する固定軸カバーと、
前記固定軸に回動自在に支持され、周面に前記釣り糸を案内する案内部が形成されたラインローラと、
前記スプールの周方向外方に湾曲して配置され一端側が前記第２ベール支持部材に固定される棒状の棒状部と、前記棒状部の他端側に設けられ前記固定軸カバーの端部に当接する第１膨出部と、前記第１膨出部の先端に前記第１膨出部より小径になるように設けられ前記固定軸カバーの孔部に挿入される装着部とを有し、前記釣り糸を前記固定軸カバーを介して前記ラインローラに導くベールとを備え、
前記ベールの前記第１膨出部の外径は前記固定軸カバーの前記先端部の外径より大きい、スピニングリールの釣り糸案内機構。
【請求項２】前記第１膨出部は前記棒状部の先端に前記装着部に向けて徐々に拡径するように設けられている、請求項１に記載のスピニングリールの釣り糸案内機構。
【請求項３】前記第１膨出部と前記固定軸カバーの端部との当接面は滑らかな曲面である、請求項１又は２に記載のスピニングリールの釣り糸案内機構。
【請求項４】前記ベールは、前記第２ベール支持部材の当接部分に設けられ、前記棒状部より大径に形成された第２膨出部をさらに有している、請求項１から３のいずれかに記載のスピニングリールの釣り糸案内機構。
【請求項５】前記棒状部は円柱状の中実部材である、請求項１から４のいずれかに記載のスピニングリールの釣り糸案内機構。
【請求項６】前記棒状部は円筒状の中空部材である、請求項１から４のいずれかに記載のスピニングリールの釣り糸案内機構。
【発明の詳細な説明】
【０００１】
【発明の属する技術分野】
本発明は、釣り糸案内機構、特に、第１及び第２ロータアームの先端に糸案内姿勢と糸開放姿勢とに揺動自在に装着され釣り糸をスプールに案内するスピニングリールの釣り糸案内機構に関する。
【０００２】
【従来の技術】
スピニングリールには釣り糸をスプールに案内する釣り糸案内機構が設けられている。釣り糸案内機構は、第１及び第２ロータアームの先端に装着され、ロータとともに回転しかつ糸開放姿勢と糸案内姿勢との間で揺動自在に設けられている。この釣り糸案内機構は、第１及び第２ベール支持部材と、第１ベール支持部材の先端に一端が固定された固定軸と、固定軸の他端に固定された固定軸カバーと、固定軸カバーに一端が挿入して取り付けられたベールと、固定軸に支持されたラインローラとを備えている。ベールの一端は固定軸カバーの端部に挿入固定されている。ベールの他端は第２ベール支持部材の先端に取り付けられている。
【０００３】
このような釣り糸案内機構を有するスピニングリールでは、釣り糸をスプールに巻き取る際に、ベールを糸案内姿勢側に揺動させハンドルを回す。すると、釣り糸はベールに誘導されて固定軸カバーを介してラインローラの外周面に案内されて接触する。そして、釣り糸は、ラインローラに案内されて方向が変えられ、スプール外周に巻き取られる。
【０００４】
【発明が解決しようとする課題】
従来の釣り糸案内機構では、ベールの一端は固定軸カバーの端部に挿入されているので、ベールから固定軸カバーに向かって高くなる段差が生成されている。このため、釣り糸を巻き取る際に、釣り糸がベールから固定軸カバーに向かって移動するとき、段差に引っ掛かかるおそれがある。釣り糸が段差に引っ掛かかると、釣り糸の滑らかな案内を阻害するとともに、固定軸カバーとベールとの間に釣り糸が巻きついて糸絡みを起こしやすくなる。
【０００５】
本発明の課題は、スピニングリールの釣り糸案内機構において、糸絡みを起こしにくくすることにある。
【０００６】
【課題を解決するための手段】
発明１に係るスピニングリールの釣り糸案内機構は、第１及び第２ロータアームの先端に糸案内姿勢と糸開放姿勢とに揺動自在に装着され、釣り糸をスプールに案内するスピニングリールの釣り糸案内機構であって、第１及び第２ロータアームの先端にそれぞれ揺動自在に装着された第１及び第２ベール支持部材と、第１ベール支持部材に一端が固定された固定軸と、固定軸の他端に第１ベール支持部材と間隔を隔てて設けられ少なくとも先端部が円筒状に形成され先端面が開口する孔部を有する固定軸カバーと、固定軸に回動自在に支持され周面に釣り糸を案内する案内部が形成されたラインローラと、スプールの周方向外方に湾曲して配置され一端側が第２ベール支持部材に固定される棒状の棒状部と、棒状部の他端側に設けられ固定軸カバーの端部に当接する第１膨出部と、第１膨出部の先端に第１膨出部より小径になるように設けられ固定軸カバーの孔部に挿入される装着部とを有し、釣り糸を固定軸カバーを介してラインローラに導くベールとを備えている。ベールの第１膨出部の外径は固定軸カバーの先端部の外径より大きい。
【０００７】
この釣り糸案内機構では、ベールの第１膨出部の外径が固定軸カバーの先端部の外径より大きくなるように形成されているので、ベールから固定軸カバーに向かって低くなる段差が生成される。ここでは、ベールから固定軸カバーに向かって低くなる段差が生成されているので、釣り糸を巻き取る際に、釣り糸がベールから固定軸カバーに向かって移動するとき、釣り糸が段差に引っ掛かかりにくくなる。したがって、釣り糸をベールから固定軸カバーにスムーズに案内することができ、糸絡みを起こしにくくすることができる。また、ベールと固定軸カバーとの接合部分に第１膨出部が形成されているので、この接合部分の強度を高く維持できる。
【０００８】
発明２に係る釣り糸案内機構は、発明１の釣り糸案内機構において、第１膨出部は棒状部の先端に装着部に向けて徐々に拡径するように設けられている。この場合、ベールには棒状部の先端に装着部に向けて徐々に拡径するように第１膨出部が形成されているので、固定軸カバーの端部の外径より大きいベールを容易に形成できる。
【０００９】
発明３に係る釣り糸案内機構は、発明１又は２の釣り糸案内機構において、第１膨出部と固定軸カバーの端部との当接面は滑らかな曲面である。この場合、第１膨出部及び固定軸カバーを高精度に形成しなくても、これらの当接面を滑らかな曲面に形成することによって、第１膨出部と固定軸カバーとの間に隙間を生成しにくくなる。
【００１０】
発明４に係る釣り糸案内機構は、発明１から３のいずれかの釣り糸案内機構において、ベールは、第２ベール支持部材の当接部分に設けられ、棒状部より大径に形成された第２膨出部をさらに有している。この場合、第２ベール支持部材と第２膨出部との接合部分の強度を高く維持できる。
【００１１】
発明５に係る釣り糸案内機構は、発明１から４のいずれかの釣り糸案内機構において、棒状部は円柱状の中実部材である。この場合、棒状部の内部を中実に形成することにより、ベールの強度を高く維持できる。
【００１２】
発明６に係る釣り糸案内機構は、発明１から４のいずれかの釣り糸案内機構において、棒状部は円筒状の中空部材である。この場合、棒状部の内部を空洞化してパイプ状に形成することにより、ベールを軽量化できる。
【００１３】
【発明の実施の形態】
〔全体構成及びリール本体の構成〕
本発明の一実施形態を採用したスピニングリールは、図１及び図２に示すように、ハンドル１と、ハンドル１を回転自在に支持するリール本体２と、ロータ３と、スプール４とを主に備えている。ロータ３はリール本体２の前部に回転自在に支持されている。スプール４は、釣り糸を外周面に巻き取るものであり、ロータ３の前部に前後移動自在に配置されている。
【００１４】
ハンドル１は、Ｔ字状の把手部１ａと、先端に把手部１ａが回転自在に装着されたＬ字状のクランクアーム１ｂとを有している。
【００１５】
リール本体２は、図１及び図２に示すように、側部に開口を有するリールボディ２ａと、リールボディ２ａから斜め上前方に一体で延びるＴ字状の竿取付脚２ｂとを有している。リールボディ２ａは、図２に示すように、内部に機構装着用の空間を有しており、その空間内には、ロータ３をハンドル１の回転に連動して回転させるロータ駆動機構５と、スプール４を前後移動させて釣り糸を均一に巻き取るためのオシレーティング機構６とが設けられている。
【００１６】
スプール４は、図１及び図２に示すように、後述するロータ３の第１ロータアーム３１及び第２ロータアーム３２の間に配置されており、このスプール４の中心部がスプール軸１５の先端部にドラグ機構６０（図２参照）を介して連結されている。
【００１７】
ロータ駆動機構５は、図２に示すように、ハンドル１が回転不能に装着されたハンドル軸１０と、ハンドル軸１０とともに回転するマスターギア１１と、このマスターギア１１に噛み合うピニオンギア１２とを有している。ハンドル軸１０の両端は軸受を介してリール本体２に回転自在に支持されている。ハンドル軸１０の両端にはネジ方向及び径が異なる雌ネジ部がそれぞれ形成されており、両雌ネジ部にハンドル１が回転不能に装着可能である。
【００１８】
ピニオンギア１２は筒状に形成されており、ピニオンギア１２の前部はロータ３の中心部を貫通しており、ナット３３によりロータ３と固定されている。そして、ピニオンギア１２の軸方向の中間部と後端部とが、それぞれ軸受を介してリール本体２に回転自在に支持されている。
【００１９】
オシレーティング機構６はスプール４を前後方向に移動させるための機構である。オシレーティング機構６は、図２に示すように、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２０】
〔ロータの構成〕
ロータ３は、図２に示すように、ピニオンギア１２に固定された円筒部３０と、円筒部３０の側方に互いに対向して設けられた第１ロータアーム３１及び第２ロータアーム３２と、釣り糸をスプール４に案内するための釣り糸案内機構としてのベールアーム３４とを有している。円筒部３０と第１ロータアーム３１及び第２ロータアーム３２とは、たとえばアルミニウム合金製であり、一体成形されている。円筒部３０の先端中心部分が前述したようにナット３３によりピニオンギア１２の先端部に回転不能に固定されている。
【００２１】
〔ベールアームの構成〕
ベールアーム３４は、第１ロータアーム３１及び第２ロータアーム３２の先端に、糸案内姿勢と糸開放姿勢との間で揺動自在に装着されている。ベールアーム３４は、第１ロータアーム３１及び第２ロータアーム３２の先端にそれぞれ揺動自在に装着された第１ベール支持部材４０及び第２ベール支持部材４２を有している。第１ベール支持部材４０は第１ロータアーム３１の外側に揺動自在に装着され、第２ベール支持部材４２は第２ロータアーム３２の内側に揺動自在に装着されている。ベールアーム３４は、図３から図５に示すように、第１ベール支持部材４０及び第２ベール支持部材４２を連結するベール４１と、第１ベール支持部材４０に先端が固定された固定軸４３（図５参照）と、固定軸４３に支持されたラインローラ４４と、固定軸４３を覆う固定軸カバー４６とをさらに有している。
【００２２】
第１ベール支持部材４０は、図４及び図５に示すように、第１ロータアーム３１に揺動自在に装着されたアーム部４０ａと、アーム部４０ａの先端に一体成形されたリング状の装着部４０ｂとを有している。装着部４０ｂには段付きの貫通孔４０ｃ（図５参照）が形成されており、貫通孔４０ｃには固定軸４３を第１ベール支持部材４０に固定するための固定ボルト５２が貫通している。
【００２３】
ベール４１は、図３に示すように、第２ベール支持部材４２及び固定軸カバー４６に両端が固定された針金状のステンレス合金製部材であり、スプール４の周方向外方に凸に湾曲して配置されている。ベール４１は、ベールアーム３４が糸開放姿勢から糸案内姿勢に復帰したときに釣り糸を固定軸カバー４６を介してラインローラ４４に導くためのものである。
【００２４】
固定軸４３は、図５に示すように、固定軸カバー４６と一体で切削加工により形成された部材である。固定軸４３は、固定軸カバー４６と一体の基端から第１ベール支持部材４０に向かって延びており、先端が固定ボルト５２により固定されている。
【００２５】
ラインローラ４４は、図５に示すように、外周面に釣り糸を案内する溝が形成された筒状の案内部４４ａと、案内部４４ａの内周側に軸方向に間隔を隔てて配置された２つの転がり軸受４４ｂ、４４ｃとを有している。案内部４４ａは、この２つの軸受４４ｂ、４４ｃを介して固定軸４３に回動自在に支持されている。
【００２６】
固定軸カバー４６は、図５に示すように、固定軸４３の基端に第１ベール支持部材４０の装着部４０ｂと間隔を隔てて設けられている。固定軸カバー４６は、図６に拡大して示すように、先端部４６ｂが円筒状に形成され、先端部４６ｂに開口する孔部４６ａを有する略円錐台形状のアルミニウム合金製の部材である。固定軸カバー４６の孔部４６ａにはステンレス合金製のベール４１が挿入されている。
【００２７】
ベール４１は、図５及び図６に示すように、湾曲する棒状の棒状部４１ａと、棒状部４１ａの先端に徐々に拡径するように設けられた第１膨出部４１ｂと、第１膨出部４１ｂの先端に第１膨出部４１ｂより小径になるように設けられた装着部４１ｃとを有している。装着部４１ｃは固定軸カバー４６の孔部４６ａに挿入固定される。
【００２８】
棒状部４１ａはステンレス合金製の中実部材である。ベール４１は、図１から図３に示すように、第２ベール支持部材４２の当接部分に設けられ、棒状部４１ａより大径に形成された第２膨出部４１ｄをさらに有している。
【００２９】
第１膨出部４１ｂは、図６に示すように、棒状部４１ａから滑らかに連設し、固定軸カバー４６に向かって徐々に拡径する略円錐台形状の部材である。第１膨出部４１ｂの端部４１ｅは固定軸カバー４６の先端部４６ｂに当接している。第１膨出部４１ｂの端部４１ｅと固定軸カバー４６の先端部４６ｂとの当接面は平面となっている。そして、第１膨出部４１ｂの端部４１ｅの外径Ａは、固定軸カバー４６の先端部４６ｂの外径Ｂより大きくなるように形成されている。
【００３０】
このスピニングリールでは、第１膨出部４１ｂの端部４１ｅの外径Ａが固定軸カバー４６の先端部４６ｂの外径Ｂより大きくなるように形成されているので、ベール４１から固定軸カバー４６に向かって低くなる段差が生成される。ここでは、ベール４１から固定軸カバー４６に向かって低くなる段差が生成されているので、釣り糸を巻き取る際に、釣り糸がベール４１から固定軸カバー４６に向かって移動するとき、釣り糸が段差に引っ掛かかりにくくなる。したがって、釣り糸をベール４１から固定軸カバー４６にスムーズに案内することができ、糸絡みを起こしにくくすることができる。
【００３１】
〔他の実施形態〕
（ａ）  前記実施形態では、フロントドラグ型のスピニングリールを例に説明したが、リアドラグ型のスピニングリールやドラグを有さないスピニングリールやレバードラグ型のスピニングリール等の任意のスピニングリールに本発明を適用できる。
【００３２】
（ｂ）  前記実施形態では、固定軸４３と固定軸カバー４６とは一体成形されていたが、固定軸４３と固定軸カバー４６とを別体で形成してもよい。また、ベール４１は固定軸カバー４６に固定されていたが、これに限定されるものではなく、固定軸カバー４６に挿入されたベール４１を固定軸４３に固定してもよい。
【００３３】
（ｃ）  前記実施形態では、ベール４１は、棒状部４１ａが中実部材であったが、棒状部４１ａの内部を空洞化してパイプ状に形成した円筒状の中空部材であってもよい。この場合には、ベール４１を軽量化できる。
【００３４】
（ｄ）  前記実施形態では、第１膨出部４１ｂの端部４１ｅと固定軸カバー４６の先端部４６ｂとの当接面は平面であったが、図７に示すように、第１膨出部４１ｂの端部４１ｅと固定軸カバー４６の先端部４６ｂとの当接面が滑らかな曲面となるようにしてもよい。
【００３５】
【発明の効果】
本発明によれば、釣り糸案内機構において、ベールの第１膨出部の外径が固定軸カバーの端部の外径より大きくなるように形成されているので、釣り糸をベールから固定軸カバーにスムーズに案内することができ、糸絡みを起こしにくくすることができる。
【図面の簡単な説明】
【図１】本発明の一実施形態を採用したスピニングリールの右側面図。
【図２】前記スピニングリールの左側面断面図。
【図３】前記スピニングリールの正面図。
【図４】ベールアームの要部斜視図。
【図５】前記ベールアームの要部断面図。
【図６】前記ベールアームの接合部分の拡大断面図。
【図７】他の実施形態の図６に相当する図。
【符号の説明】
４  スプール
３１  第１ロータアーム
３２  第２ロータアーム
３４  ベールアーム
４０  第１ベール支持部材
４２  第２ベール支持部材
４１  ベール
４１ａ  棒状部
４１ｂ  第１膨出部
４１ｃ  装着部
４１ｄ  第２膨出部
４３  固定軸
４４  ラインローラ
４６  固定軸カバー
４６ａ  孔部
４６ｂ  先端部


【手続補正２】
【補正対象書類名】図面
【補正対象項目名】図３
【補正方法】変更
【補正の内容】
【図３】
2004081154.tif 000001